(57)【要約】  本発明に係る空気調和機の室外機は、セパレータによって内部が送風機室と機械室とに横方向に仕切られた筐体（１０１）と、前記機械室に収容されたアキュムレータ（２２）と、を備え、前記筐体は、前記機械室側となる側面部の少なくとも一部を構成し、下部に切り欠きが形成されているサイドパネル（４）と、前記サイドパネルにネジ止め固定され、前記切り欠きを覆うカバーパネル（６）と、を備えた空気調和機の室外機であって、前記アキュムレータに設けられて前記サイドパネルに向かって突出し、穴部（３３）及び該穴部に挿入された爪部（４２）のうちの一方が形成された保持部品（３０）と、前記サイドパネルに設けられて前記アキュムレータに向かって突出し、前記穴部及び前記爪部のうちの他方が形成された被保持部品（４０）と、を備え、前記爪部が前記穴部に挿入され、前記保持部品に前記被保持部品が支持されて、前記サイドパネルが前記アキュムレータに保持されている。
2020170329.tif 000002
【特許請求の範囲】
【請求項１】
セパレータによって内部が送風機室と機械室とに横方向に仕切られた筐体と、  前記機械室に収容されたアキュムレータと、  を備え、  前記筐体は、  前記機械室側となる側面部の少なくとも一部を構成し、下部に切り欠きが形成されているサイドパネルと、  前記サイドパネルにネジ止め固定され、前記切り欠きを覆うカバーパネルと、  を備えた空気調和機の室外機であって、  前記アキュムレータに設けられて前記サイドパネルに向かって突出し、穴部及び該穴部に挿入された爪部のうちの一方が形成された保持部品と、  前記サイドパネルに設けられて前記アキュムレータに向かって突出し、前記穴部及び前記爪部のうちの他方が形成された被保持部品と、  を備え、  前記爪部が前記穴部に挿入され、前記保持部品に前記被保持部品が支持されて、前記サイドパネルが前記アキュムレータに保持されている空気調和機の室外機。
【請求項２】
前記サイドパネルに形成された前記切り欠きの上縁部は、前記アキュムレータの下面以上の高さとなっている請求項１に記載の空気調和機の室外機。
【請求項３】
前記保持部品及び前記被保持部品のうち、前記爪部が形成された側の部品を第１部品とし、  前記アキュムレータ及び前記サイドパネルのうち、前記第１部品が設けられた側の部品を第２部品とした場合、  前記爪部の上下方向の長さは、前記爪部と前記第２部品との間の長さよりも短い請求項１又は請求項２に記載の空気調和機の室外機。
【請求項４】
複数の前記保持部品が前記アキュムレータに設けられ、前記アキュムレータに設けられた前記保持部品と同数の前記被保持部品が前記サイドパネルに設けられている請求項１〜請求項３のいずれか一項に記載の空気調和機の室外機。
【請求項５】
前記被保持部品は、前記サイドパネルの一部を切り起こして形成された前記サイドパネルとの一体形成品であり、  前記アキュムレータと前記爪部との間の長さは、前記サイドパネルと前記爪部との間の長さよりも長い請求項１〜請求項４のいずれか一項に記載の空気調和機の室外機。
【請求項６】
前記アキュムレータと共に冷媒回路を構成するバルブが取り付けられるバルブベッドを備え、  前記バルブベッドの横方向の端部のうちの一方は前記セパレータに固定され、前記バルブベッドの横方向の端部のうちの他方は前記サイドパネルにネジ止め固定されており、  前記保持部品及び前記被保持部品は、前記バルブベッドよりも上方に配置されている請求項１〜請求項５のいずれか一項に記載の空気調和機の室外機。
【発明の詳細な説明】
【技術分野】
【０００１】  本発明は、筐体の一部を構成するサイドパネルの変形の抑制を図った空気調和機の室外機に関する。
【背景技術】
【０００２】  空気調和機の室外機の筐体は、アキュムレータ等が配置される機械室側の側面部がサイドパネルで構成されている。このサイドパネルの下部の一部には、切り欠きが形成されている。また、この切り欠きは、サイドパネルにネジ止め固定されたカバーパネルで覆われている。具体的には、カバーパネルには、雄ネジが挿入される貫通孔が形成されている。また、サイドパネルには、雌ネジが形成されている。そして、カバーパネルの貫通孔に挿入された雄ネジをサイドパネルの雌ネジにねじ込むことにより、カバーパネルはサイドパネルにネジ止め固定される。室外機の設置現場等でカバーパネルを取り外すと、サイドパネルの切り欠きから、機械室内での配管作業等を行うことができる。【０００３】  サイドパネルは、筐体の天面部を構成する天面パネルの重さ及びサイドパネルに取り付けられた部品等の重さによって、切り欠きの上縁部が下方に移動するように変形する。そして、このようにサイドパネルが変形すると、カバーパネルの貫通孔とサイドパネルの雌ネジとの位置がずれてしまう。このため、サイドパネルが変形すると、室外機の製造ライン及び室外機の設置現場等で、カバーパネルをサイドパネルにネジ止め固定することが難しくなってしまう。【０００４】  そこで、従来の空気調和機の室外機には、サイドパネルの変形の抑制を図ったものも提案されている（特許文献１参照）。詳しくは、特許文献１に記載の室外機は、機械室の底部に、載置部品が固定されている。この載置部品の上部にはアキュムレータが載置され、該アキュムレータと載置部品とが固定されている。また、載置部品の側部には、横方向に突出する支持片が設けられている。一方、サイドパネルの切り欠きの上縁部には、載置部品の支持片が嵌め合わされる切り欠きが形成されている。そして、特許文献１に記載の室外機のサイドパネルは、該サイドパネルの切り欠きに載置部品の支持片を嵌め合わせることにより、載置部品に保持されている。これにより、特許文献１に記載の室外機は、サイドパネルの変形の抑制を図っている。
【先行技術文献】
【特許文献】
【０００５】
【特許文献１】特開２０１３−３６６９７号公報
【発明の概要】
【発明が解決しようとする課題】
【０００６】  特許文献１に記載の室外機のサイドパネルは、載置部品に保持されているため、低い位置で保持されることとなる。このため、特許文献１に記載の室外機のサイドパネルは、天面パネルの接続される上縁部と載置部品に保持されている箇所との間が長くなる。したがって、特許文献１に記載の室外機のサイドパネルは、天面パネルの重さ及びサイドパネルに取り付けられた部品等の重さによって、上縁部と載置部品に保持されている箇所との間の途中部が外側に膨らむように変形してしまう。このようにサイドパネルが変形した場合にも、カバーパネルの貫通孔とサイドパネルの雌ネジとの位置がずれてしまう。このため、特許文献１に記載の室外機は、カバーパネルをサイドパネルにネジ止め固定することが依然として難しいという課題があった。【０００７】  本発明は、上述の課題を解決するためになされたものであり、カバーパネルをサイドパネルにネジ止め固定することが従来よりも容易となる空気調和機の室外機を得ることを目的とする。
【課題を解決するための手段】
【０００８】  本発明に係る空気調和機の室外機は、セパレータによって内部が送風機室と機械室とに横方向に仕切られた筐体と、前記機械室に収容されたアキュムレータと、を備え、前記筐体は、前記機械室側となる側面部の少なくとも一部を構成し、下部に切り欠きが形成されているサイドパネルと、前記サイドパネルにネジ止め固定され、前記切り欠きを覆うカバーパネルと、を備えた空気調和機の室外機であって、前記アキュムレータに設けられて前記サイドパネルに向かって突出し、穴部及び該穴部に挿入された爪部のうちの一方が形成された保持部品と、前記サイドパネルに設けられて前記アキュムレータに向かって突出し、前記穴部及び前記爪部のうちの他方が形成された被保持部品と、を備え、前記爪部が前記穴部に挿入され、前記保持部品に前記被保持部品が支持されて、前記サイドパネルが前記アキュムレータに保持されている。
【発明の効果】
【０００９】  本発明に係る空気調和機の室外機は、保持部品及び被保持部品により、特許文献１よりも高い位置において、サイドパネルをアキュムレータに保持させることができる。このため、本発明に係る空気調和機の室外機は、サイドパネルの変形を従来よりも抑制できるため、カバーパネルをサイドパネルにネジ止め固定することが従来よりも容易となる。
【図面の簡単な説明】
【００１０】
【図１】本発明の実施の形態に係る空気調和機の室外機を示す斜視図である。
【図２】本発明の実施の形態に係る空気調和機の室外機の内部構造を説明するための斜視図である。
【図３】本発明の実施の形態に係る空気調和機の室外機の機械室を示す斜視図である。
【図４】本発明の実施の形態に係る空気調和機の室外機の機械室を示す斜視図である。
【図５】図３のＡ部拡大図である。
【発明を実施するための形態】
【００１１】実施の形態．  図１は、本発明の実施の形態に係る空気調和機の室外機を示す斜視図である。図２は、本発明の実施の形態に係る空気調和機の室外機の内部構造を説明するための斜視図である。図３及び図４は、本発明の実施の形態に係る空気調和機の室外機の機械室を示す斜視図である。
【００１２】  なお、図１は、本実施の形態に係る室外機１００を前方右側から見た斜視図となっている。図２は、天面パネル１、ファングリル２ｂ及びサービスパネル３を取り外した状態の室外機１００を、前方右側から見た斜視図となっている。また、図２は、サイドパネル４とカバーパネル６とをネジ止め固定する前の室外機１００を示している。また、図２では、機械室２０に配置されているアキュムレータ２２及び載置部品２３の図示を省略している。図３は、室外機１００の機械室２０の内部を前方左側から見た斜視図となっている。また、図３は、サイドパネル４の下部に形成された切り欠き４ａをカバーパネル６で覆う前の状態を示している。また、図３では、機械室２０に配置されている電気品２１の図示を省略している。図４は、室外機１００の機械室２０の内部を前方右側から見た斜視図となっている。また、図４は、サイドパネル４とカバーパネル６とをネジ止め固定する前の状態であり、カバーパネル６と底板５とをネジ止め固定する前の状態を示している。
【００１３】  空気調和機の室外機１００は、例えば略直方体形状の筐体１０１を備えている。また、筐体１０１は、底板５、天面パネル１、前面パネル２、サービスパネル３、サイドパネル４、及びカバーパネル６を備えている。底板５は、筐体１０１の底面部分を構成している。本実施の形態に係る底板５の下面には、室外機１００を設置する際に用いる脚部が設けられている。天面パネル１は、筐体１０１の天面部分を構成している。
【００１４】  前面パネル２は、筐体１０１の前面部の一部、及び筐体１０１の左側側面部の一部を構成している。詳しくは、前面パネル２における筐体１０１の前面部を構成する部分は、後述する送風機室１０の前面部を構成している。この前面パネル２における筐体１０１の前面部を構成する部分には、送風機室１０に配置されたプロペラファン１２と対向する位置に、吹出口２ａが形成されている。また、吹出口２ａには、ファングリル２ｂが設けられている。なお、本実施の形態に係る室外機１００は、上下方向に並ぶ２つのプロペラファン１２を備えている。このため、前面パネル２における筐体１０１の前面部を構成する部分にも、上下方向に並んで２つの吹出口２ａが形成されている。前面パネル２の上縁部は、天面パネル１にネジ止め固定されている。前面パネル２の下縁部は、底板５にネジ止め固定されている。前面パネル２の前面側の側縁部は、後述するセパレータ７にネジ止め固定されている。
【００１５】  サービスパネル３は、筐体１０１の前面部の一部、及び筐体１０１の右側側面部の一部を構成している。詳しくは、サービスパネル３における筐体１０１の前面部を構成する部分は、後述する機械室２０の前面部を構成している。サービスパネル３の上縁部は、天面パネル１にネジ止め固定されている。サービスパネル３の下縁部は、底板５にネジ止め固定されている。サービスパネル３を取り外すことにより、機械室２０への部品類の取り付け、及び機械室２０に配置された部品類のメンテナンス等を行うことができる。
【００１６】  サイドパネル４は、筐体１０１の右側側面部の一部、及び筐体１０１の背面部の一部を構成している。詳しくは、サイドパネル４における筐体１０１の背面部を構成する部分は、後述する機械室２０の背面部を構成している。サイドパネル４の上縁部は、天面パネル１にネジ止め固定されている。サイドパネル４の下縁部は、底板５にネジ止め固定されている。サイドパネル４の背面側の側縁部は、後述するセパレータ７にネジ止め固定されている。また、サイドパネル４の下部の一部には、前方及び下方に開口する切り欠き４ａが形成されている。なお、筐体１０１の右側側面部の全部をサイドパネル４で構成してもよい。
【００１７】  カバーパネル６は、サイドパネル４の切り欠き４ａと対向する位置に設けられ、切り欠き４ａを覆うパネルである。カバーパネル６の上縁部は、サイドパネル４の切り欠き４ａの上縁部４ｂにネジ止め固定されている。詳しくは、サイドパネル４の切り欠き４ａの上縁部４ｂには、雌ネジ４ｃが形成されている。一方、カバーパネル６の上縁部には、雌ネジ４ｃと対向する位置に、貫通孔６ａが形成されている。貫通孔６ａに挿入された雄ネジ５１が雌ネジ４ｃにねじ込まれることにより、カバーパネル６の上縁部がサイドパネル４の切り欠き４ａの上縁部４ｂにネジ止め固定される。また、カバーパネル６の下縁部は、底板５にネジ止め固定されている。詳しくは、底板５には、図示せぬ雌ネジが形成されている。一方、カバーパネル６の下縁部には、底板５の雌ネジと対向する位置に、貫通孔６ａが形成されている。貫通孔６ａに挿入された雄ネジ５１が底板５の雌ネジにねじ込まれることにより、カバーパネル６の下縁部が底板５にネジ止め固定される。室外機１００の設置現場等でカバーパネル６を取り外すことにより、サイドパネル４の切り欠き４ａから、機械室２０内での配管作業等を行うことができる。
【００１８】  上述のように構成された筐体１０１の内部には、底板５に固定されたセパレータ７が設けられている。このセパレータ７により、筐体１０１の内部は、送風機室１０と機械室２０とに仕切られている。具体的には、セパレータ７よりも左側が送風機室１０となっており、セパレータ７よりも右側が機械室２０となっている。すなわち、送風機室１０の外郭は、天面パネル１、前面パネル２、底板５及びセパレータ７で構成されている。機械室２０の外郭は、天面パネル１、サービスパネル３、サイドパネル４、カバーパネル６、底板５及びセパレータ７で構成されている。
【００１９】  送風機室１０には、熱交換器１１及びプロペラファン１２が収容されている。上述のように構成された筐体１０１においては、送風機室１０の背面部と、該背面部に連なる側面部の一部とが、開口している。この開口部が、送風機室１０の吸込口となる。そして、熱交換器１１は、この吸込口を覆うように、送風機室１０に収容されている。すなわち、熱交換器１１は、平面視略Ｌ字形状となっている。プロペラファン１２は、熱交換器１１と吹出口２ａとの間において、吹出口２ａと対向するように送風機室１０に収容されている。なお、上述のように、本実施の形態に係る室外機１００においては、上下方向に並ぶ２つのプロペラファン１２が送風機室１０に収容されている。
【００２０】  機械室２０には、電気品２１及びアキュムレータ２２が収容されている。室外機１００は、図示せぬ室内機と共に空気調和機を構成する。電気品２１は、この空気調和機の構成機器を制御するための制御基板等を備えている。電気品２１は、機械室２０の上部に収容されている。アキュムレータ２２は、余剰冷媒を貯留するものであり、電気品２１の下方に配置されている。詳しくは、底板５において機械室２０を構成する部分の上面に、載置部品２３が固定されている。アキュムレータ２２は、この載置部品２３の上部に載置され、載置部品２３に固定されている。
【００２１】  また、機械室２０には、バルブベッド８も収容されている。バルブベッド８には、アキュムレータ２２と共に冷媒回路を構成する図示せぬバルブが取り付けられる。バルブベッド８は、セパレータ７とサイドパネル４とに固定されている。具体的には、バルブベッド８の横方向の端部のうちの一方である端部８ａは、セパレータ７にネジ止め等によって固定されている。バルブベッド８の横方向の端部のうちの他方である端部８ｂは、雄ネジ５２により、サイドパネル４の例えば前縁部に、ネジ止め固定されている。詳しくは、サイドパネル４の例えば前縁部には、図示せぬ雌ネジが形成されている。一方、バルブベッド８の端部８ｂには、図示せぬ貫通孔が形成されている。端部８ｂの貫通孔に挿入された雄ネジ５２をサイドパネル４の図示せぬ雌ネジにねじ込むことにより、バルブベッド８の端部８ｂがサイドパネル４にネジ止め固定される。
【００２２】  ここで、上述のように、サイドパネル４の上縁部は天面パネル１にネジ止め固定されており、サイドパネル４の下縁部は底板５にネジ止め固定されている。すなわち、サイドパネル４は、上縁部及び下縁部が保持されている。この際、サイドパネル４の上縁部及び下縁部のみが保持されている場合、天面パネル１の重さ及びサイドパネル４に取り付けられた部品等の重さによって、サイドパネル４は、切り欠き４ａの上縁部４ｂが下方に移動するように変形する。そして、カバーパネル６の貫通孔６ａとサイドパネル４の雌ネジ４ｃとの位置がずれてしまう。このため、室外機１００の製造ライン及び室外機１００の設置現場等で、カバーパネル６をサイドパネル４にネジ止め固定することが難しくなってしまう。
【００２３】  上述のようなサイドパネル４の変形を抑制するには、特許文献１として示した特開２０１３−３６６９７号公報に記載の室外機のように、サイドパネル４を保持することも考えられる。すなわち、サイドパネル４の上縁部及び下縁部を保持すると共に、載置部品２３によってサイドパネル４を保持させることも考えられる。
【００２４】  しかしながら、載置部品２３によるサイドパネル４の保持箇所は低い位置となるため、天面パネル１の接続されるサイドパネル４の上縁部と載置部品２３に保持されている箇所との間が長くなる。したがって、サイドパネル４は、天面パネル１の重さ及びサイドパネル４に取り付けられた部品等の重さによって、上縁部と載置部品２３に保持されている箇所との間の途中部が外側に膨らむように変形してしまう。そして、途中部が外側に膨らむように変形することで、サイドパネル４において載置部品２３に保持されている箇所よりも下方側となる部分は、切り欠き４ａの上縁部４ｂが筐体１０１の内部側へ移動するように変形する。このようにサイドパネル４が変形した場合にも、カバーパネル６の貫通孔６ａとサイドパネル４の雌ネジ４ｃとの位置がずれてしまう。このため、特許文献１に記載の室外機のようにサイドパネル４を保持しても、カバーパネル６をサイドパネル４にネジ止め固定することが依然として難しい。
【００２５】  そこで、本実施の形態に係る室外機１００においては、サイドパネル４の上縁部及び下縁部を保持すると共に、以下のようにサイドパネル４を保持している。
【００２６】  図５は、図３のＡ部拡大図である。  本実施の形態に係る室外機１００は、アキュムレータ２２に設けられた保持部品３０と、サイドパネル４に設けられた被保持部品４０とを備えている。保持部品３０は、アキュムレータ２２からサイドパネル４に向かって横方向に突出する保持部３２を備えている。保持部３２には、例えば平面視長方形状の穴部３３が形成されている。
【００２７】  なお、保持部品３０とアキュムレータ２２との固定方法は特に限定されないが、本実施の形態では、保持部品３０が備える固定部３１を用いて、保持部品３０をアキュムレータ２２に固定している。具体的には、固定部３１は、保持部３２におけるアキュムレータ２２側の端部から上方に延びている。すなわち、保持部品３０は、側面視略Ｌ字形状となっている。本実施の形態では、板部材を折り曲げて、保持部品３０を形成している。固定部３１をアキュムレータ２２の側面にろう付け又は溶接等で固定することにより、保持部品３０はアキュムレータ２２に固定されている。
【００２８】  被保持部品４０は、サイドパネル４からアキュムレータ２２に向かって横方向に突出する被保持部４１を備えている。被保持部４１は、保持部品３０の保持部３２に、下方から支持される部分である。被保持部４１には、保持部品３０の保持部３２の穴部３３に挿入される爪部４２が形成されている。被保持部４１が保持部３２に支持された際、被保持部４１は保持部３２の上方に位置する。このため、爪部４２は、下方に延びるように、被保持部４１に形成されている。本実施の形態では、被保持部４１のアキュムレータ側の端部を下方に折り曲げて、爪部４２を形成している。
【００２９】  なお、被保持部品４０とサイドパネル４との固定方法は特に限定されないが、本実施の形態では、被保持部品４０とサイドパネル４とを一体形成品として製造することにより、被保持部品４０をサイドパネル４に固定している。具体的には、被保持部品４０は、サイドパネル４の一部を切り起こし、上述の形状に折り曲げることにより形成されている。被保持部品４０とサイドパネル４とを一体形成品とした場合、サイドパネル４には、被保持部品４０を作成するために切り起こされた部分に、開口部４３が形成されることとなる。
【００３０】  被保持部品４０の爪部４２を保持部品３０の穴部３３に挿入し、保持部品３０の保持部３２に被保持部品４０の被保持部４１を支持させることにより、サイドパネル４がアキュムレータ２２に保持された状態となる。この状態では、爪部４２と穴部３３とにより、サイドパネル４の横方向の移動が規制される。また、被保持部品４０及び保持部品３０を介して、サイドパネル４にかかる荷重がアキュムレータ２２で支持されることとなる。
【００３１】  このようにサイドパネル４をアキュムレータ２２で保持させることにより、サイドパネル４を載置部品２３で保持させた場合と比べ、高い位置でサイドパネル４を保持することができる。このため、サイドパネル４の上縁部とアキュムレータ２２に保持されている箇所との間の途中部が外側に膨らむようにサイドパネル４が変形することを抑制できる。したがって、サイドパネル４においてアキュムレータ２２に保持されている箇所よりも下方側となる部分も、切り欠き４ａの上縁部４ｂが筐体１０１の内部側へ移動するように変形することを抑制できる。すなわち、カバーパネル６の貫通孔６ａとサイドパネル４の雌ネジ４ｃとの位置ずれを抑制でき、カバーパネル６をサイドパネル４にネジ止め固定することが容易となる。
【００３２】  例えば、室外機１００を組み立てる製造ラインでは、予め定められた時間内にカバーパネル６をサイドパネル４にネジ止め固定することが求められる。ここで、本実施の形態のようにサイドパネル４をアキュムレータ２２で保持させることにより、カバーパネル６をサイドパネル４にネジ止め固定することが容易となる。このため、ネジ止め作業のやり直しを減らすことができ、カバーパネル６をサイドパネル４にネジ止め固定する時間を従来よりも短縮できる。したがって、本実施の形態のようにサイドパネル４をアキュムレータ２２で保持させることにより、室外機１００の製造効率を向上させることができる。
【００３３】  また例えば、室外機１００の設置現場等では、サイドパネル４からカバーパネル６を一旦取り外し、サイドパネル４の切り欠き４ａから、機械室２０内での配管作業等を行うことがある。本実施の形態のようにサイドパネル４をアキュムレータ２２で保持させることにより、カバーパネル６をサイドパネル４にネジ止め固定することが容易となるので、室外機１００の設置作業等が容易となる。
【００３４】  なお、本実施の形態では、保持部品３０の保持部３２に穴部３３を形成し、被保持部品４０の被保持部４１に爪部４２を形成した。これに限らず、保持部品３０の保持部３２に爪部４２を形成し、被保持部品４０の被保持部４１に穴部３３を形成してもよい。保持部３２は被保持部４１の下方に位置するので、この場合、保持部品３０の保持部３２に形成される爪部４２は、上方に延びるように保持部３２に形成される。
【００３５】  また、アキュムレータ２２の下方に位置する載置部品２３でサイドパネル４を保持させた場合にはできなかったが、本実施の形態のようにサイドパネル４をアキュムレータ２２で保持させることにより、サイドパネル４に形成された切り欠き４ａの上縁部４ｂをアキュムレータ２２の下面２２ａ以上の高さとすることができる。これにより、切り欠き４ａを大きくすることができ、機械室２０内での配管作業等が容易となる。なお、図３に示すように、本実施の形態では、サイドパネル４に形成された切り欠き４ａの上縁部４ｂは、アキュムレータ２２の下面２２ａと略同じ高さとなっている。
【００３６】  また、本実施の形態に係る室外機１００においては、爪部４２の上下方向の長さが以下のようになっている。保持部品３０及び被保持部品４０のうち、爪部４２が形成された側の部品を第１部品とする。図５に示す例では、被保持部品４０が第１部品となっている。また、アキュムレータ２２及びサイドパネル４のうち、第１部品が設けられた側の部品を第２部品とする。図５に示す例では、サイドパネル４が第２部品となっている。このように第１部品及び第２部品を定義した場合、爪部４２の上下方向の長さは、爪部４２と第２部品との間の長さよりも短くなっている。図５に示す例の場合、爪部４２の上下方向の長さは、爪部４２とサイドパネル４との間の長さよりも短くなっている。
【００３７】  このように爪部４２の上下方向の長さを設定することにより、爪部４２を穴部３３に挿入する際、保持部品３０及び被保持部品４０のうちで第１部品でない方の部品が第２部品に接触しにくくなる。図５の例では、爪部４２を穴部３３に挿入する際、保持部品３０がサイドパネル４に接触しにくくなる。また、このように爪部４２の上下方向の長さを設定することにより、爪部４２を穴部３３に挿入しやすくなる。このため、このように爪部４２の上下方向の長さを設定することにより、サイドパネル４の取り付けが容易となる。
【００３８】  また、本実施の形態に係る室外機１００においては、アキュムレータ２２と爪部４２との間の長さは、サイドパネル４と爪部４２との間の長さよりも長くなっている。上述のように、被保持部品４０とサイドパネル４とを一体形成品とした場合、サイドパネル４には、被保持部品４０を作成するために切り起こされた部分に、開口部４３が形成されることとなる。このような位置に爪部４２を配置することにより、被保持部品４０の大きさを小さくすることができ、開口部４３を小さくすることができる。これにより、雨及び埃等の異物が開口部４３を通って筐体１０１内に侵入することを抑制できる。
【００３９】  また、本実施の形態に係る室外機１００においては、図３に示すように、保持部品３０及び被保持部品４０は、バルブベッド８よりも上方に配置されている。上述のように、本実施の形態に係る室外機１００においては、サイドパネル４においてアキュムレータ２２に保持されている箇所よりも下方側となる部分の変形を抑制できる。このため、保持部品３０及び被保持部品４０をバルブベッド８よりも上方に配置することにより、サイドパネル４に形成された雌ネジと、バルブベッド８の端部８ｂに形成された貫通孔との位置ずれを抑制でき、バルブベッド８の取り付けが容易となる。
【００４０】  なお、本実施の形態では、アキュムレータ２２には１つの保持部品３０が設けられ、サイドパネル４にも１つの被保持部品４０が設けられていた。これに限らず、アキュムレータ２２に複数の保持部品３０を設け、サイドパネル４に保持部品３０と同数の被保持部品４０を設けてもよい。複数の保持部品３０及び被保持部品４０を介してアキュムレータ２２がサイドパネル４を保持することにより、サイドパネル４の変形をさらに抑制でき、カバーパネル６をサイドパネル４にネジ止め固定することが容易となる等の上述の効果がより大きくなる。
【００４１】  以上、本実施の形態に係る空気調和機の室外機１００は、セパレータ７によって内部が送風機室１０と機械室２０とに横方向に仕切られた筐体１０１と、機械室２０に収容されたアキュムレータ２２と、を備えている。筐体１０１は、機械室２０側となる側面部の少なくとも一部を構成し、下部に切り欠き４ａが形成されているサイドパネル４と、サイドパネル４にネジ止め固定され、切り欠き４ａを覆うカバーパネル６と、を備えている。また、本実施の形態に係る空気調和機の室外機１００は、保持部品３０及び被保持部品４０を備えている。保持部品３０は、アキュムレータ２２に設けられてサイドパネル４に向かって突出し、穴部３３及び該穴部３３に挿入された爪部４２のうちの一方が形成されている。被保持部品４０は、サイドパネル４に設けられてアキュムレータ２２に向かって突出し、穴部３３及び爪部４２のうちの他方が形成されている。そして、本実施の形態に係る空気調和機の室外機１００においては、爪部４２が穴部３３に挿入され、保持部品３０に被保持部品４０が支持されて、サイドパネル４がアキュムレータ２２に保持されている。
【００４２】  本実施の形態に係る空気調和機の室外機１００は、保持部品３０及び被保持部品４０により、サイドパネル４を載置部品２３で保持させた場合よりも高い位置において、サイドパネル４をアキュムレータ２２に保持させることができる。このため、本実施の形態に係る空気調和機の室外機１００は、サイドパネル４の変形を従来よりも抑制できるため、カバーパネル６をサイドパネル４にネジ止め固定することが従来よりも容易となる。
【符号の説明】
【００４３】  １  天面パネル、２  前面パネル、２ａ  吹出口、２ｂ  ファングリル、３  サービスパネル、４  サイドパネル、４ａ  切り欠き、４ｂ  上縁部、４ｃ  雌ネジ、５  底板、６  カバーパネル、６ａ  貫通孔、７  セパレータ、８  バルブベッド、８ａ  端部、８ｂ  端部、１０  送風機室、１１  熱交換器、１２  プロペラファン、２０  機械室、２１  電気品、２２  アキュムレータ、２２ａ  下面、２３  載置部品、３０  保持部品、３１  固定部、３２  保持部、３３  穴部、４０  被保持部品、４１  被保持部、４２  爪部、４３  開口部、５１  雄ネジ、５２  雄ネジ、１００  室外機、１０１  筐体。
【図１】
2020170329.tif 000003
【図２】
2020170329.tif 000004
【図３】
2020170329.tif 000005
【図４】
2020170329.tif 000006
【図５】
2020170329.tif 000007
【国際調査報告】
2020170329.tif 000008
2020170329.tif 000009
2020170329.tif 000010
2020170329.tif 000011
2020170329.tif 000012